【手続補正書】
【提出日】平成28年8月19日(2016.8.19)
【手続補正１】
【補正対象書類名】特許請求の範囲
【補正対象項目名】全文
【補正方法】変更
【補正の内容】
【特許請求の範囲】
【請求項１】
回路板と第１のフロントパネルとを備える電気ユニットであって、
前記回路板は、
電源への電力コネクタ部であって、前記回路板と前記回路板に電気的に接続されるデバイスとに電力を供給するように構成された前記電力コネクタ部と、
前記電気ユニットに接続されたデバイスの電力使用量を監視し、監視した前記電力使用量を表す電力使用情報を生成するプロセッサと、
ネットワークに通信可能に結合されて、前記電力使用量を前記ネットワーク上に送信するように構成されたトランシーバと、
を有し、
前記第１のフロントパネルは、前記回路板に取り外し可能に電気的に接続されており、前記第１のフロントパネルは、電源コンセントインタフェース、スイッチインタフェース、器具インタフェース、ビデオインタフェース、及び１以上の環境センサのインタフェースのうちの少なくとも１つ用の回路網を有し、
前記第１のフロントパネルは、前記回路板に取り外し可能に電気的に接続され得る第２のフロントパネルと着脱可能な互換性があり、前記第２のフロントパネルは、前記第１のフロントパネルのインタフェースと異なるインタフェースを有し、前記第２のフロントパネルは、電源コンセントインタフェース、スイッチインタフェース、器具インタフェース、ビデオインタフェース、及び１以上の環境センサのインタフェースのうちの少なくとも１つ用の回路網を有する、電気ユニット。
【請求項２】
前記第２のフロントパネルをさらに備える、請求項１に記載の電気ユニット。
【請求項３】
前記回路板は、開口部を有する単一ギャング電気箱内に収まり、前記第１のフロントパネル及び前記第２のフロントパネルは、前記回路板と接続される時に、それぞれが前記電気箱の前記開口部を覆うように構成されている、請求項２に記載の電気ユニット。
【請求項４】
前記第１のフロントパネルは、電源コンセントインタフェースを有し、前記第２のフロントパネルは、スイッチインタフェースを有する、請求項３に記載の電気ユニット。
【請求項５】
前記第１のフロントパネル及び前記第２のフロントパネルの各々は、環境センサを有し、前記プロセッサは、前記回路板と接続される時に前記第１のフロントパネル及び前記第２のフロントパネルの各々の前記環境センサによって生成される電気入力信号を処理し、前記トランシーバは、前記ネットワーク上に処理された前記電気入力信号を送信する、請求項３に記載の電気ユニット。
【請求項６】
前記回路板は、第２の回路板と機械的及び電気的に接続される第１の回路板を有し、前記第１の回路板は、前記プロセッサ及び前記トランシーバを有し、前記第２の回路板は、電力供給源及び制御リレーを有する、請求項１に記載の電気ユニット。
【請求項７】
前記第１のフロントパネルと同時に前記回路板に取り外し可能に電気的に接続される第３のフロントパネルをさらに備え、前記第３のフロントパネルは、前記第１のフロントパネルのインタフェースと異なるインタフェースを有し、前記第３のフロントパネルは、電源コンセントインタフェース、スイッチインタフェース、器具インタフェース、ビデオインタフェース、及び１以上の環境センサのインタフェースのうちの少なくとも１つ用の回路網を有する、請求項１に記載の電気ユニット。
【請求項８】
回路板と第１のフロントパネルとを備える電気コンセントユニットであって、
前記回路板は、
電源へのコネクタ部と、
ネットワークに通信可能に結合されて、電気デバイスを制御するためのコマンド情報を前記ネットワークから受信するように構成されたトランシーバと、
前記トランシーバによって受信される前記コマンド情報を処理するように構成されたプロセッサと、
を有し、
前記第１のフロントパネルは、前記回路板に取り外し可能に電気的に接続されており、前記第１のフロントパネルは、電気デバイスの電源プラグのプロングを受け入れるためのプラグ受け部を有し、前記プラグ受け部は、前記電源プラグが前記プラグ受け部内に受け入れられたときに前記電源プラグの前記プロングと接触するように構築および配置された複数の電気接点を有し、前記第２のフロントパネルは、スイッチインタフェース、電源コンセントインタフェース、器具インタフェース、ビデオインタフェース、及び１以上の環境センサのインタフェースのうちの少なくとも１つの用の回路網を有し、前記第２のフロントパネルは、前記第１のフロントパネルのインタフェースと異なるインタフェースを有し、
前記回路板は、ハウジング内に収容されており、
前記電気接点は、前記電源プラグが前記プラグ受け部内に受け入れられたときに電力が前記電源プラグおよび前記電気デバイスに流れるように、前記電源に電気的に接続される、電気コンセントユニット。
【請求項９】
前記第１のフロントパネルの前記プラグ受け部は、電源プラグの第１の国際機構を受け入れるように設計されており、前記第２のフロントパネルのインタフェースは、プラグ受け部を有し、前記第２のフロントパネルの前記プラグ受け部は、電源プラグの第２の国際機構を受け入れるように構成される、請求項８に記載の電気コンセントユニット。
【請求項１０】
前記第２のフロントパネルは、スイッチを有する、請求項８に記載の電気コンセントユニット。
【請求項１１】
コーディネータと複数の制御ユニットとを備える電気管理システムであって、
前記コーディネータは、メッシュネットワークに通信可能に結合されており、
前記複数の制御ユニットは、前記メッシュネットワークに通信可能に結合されており、前記複数の制御ユニットの各々は、回路板と第１のフロントパネルとを有し、
前記回路板は、
電源への電力コネクタ部と、
前記メッシュネットワークに通信可能に結合されて、電気デバイスを制御するためのコマンド情報を前記メッシュネットワーク上の前記コーディネータから受信するように構成されたトランシーバと、
前記トランシーバによって受信される前記コマンド情報を処理するように構成されたプロセッサと、
を有し、
前記第１のフロントパネルは、前記回路板に取り外し可能に電気的に接続されており、前記第１のフロントパネルは、電源コンセントインタフェース、スイッチインタフェース、器具インタフェース、ビデオインタフェース、及び１以上の環境センサのインタフェースのうちの少なくとも１つ用の回路網を有し、
前記複数の制御ユニットは、電気コンセントユニット、スイッチユニット、器具ユニット、ビデオインタフェースのユニット、及び１以上の環境センサを含むユニットで構成される群の中から選択される少なくとも２つの異なるユニットを有する、電気管理システム。
【請求項１２】
前記複数の制御ユニットの各々に関して、前記第１のフロントパネルは、前記回路板に取り外し可能に電気的に接続され得る第２のフロントパネルと着脱可能な互換性があり、前記第２のフロントパネルは、前記第１のフロントパネルのインタフェースと異なるインタフェースを有する、請求項１１に記載の電気管理システム。
【請求項１３】
前記複数の制御ユニットの各々に関して、前記回路板は、開口部を有する単一ギャング電気箱内に収まり、前記第１のフロントパネルは、前記回路板と接続される時に、前記電気箱の前記開口部を覆う、請求項１１に記載の電気管理システム。
【請求項１４】
前記複数の制御ユニットは、スイッチユニット及び器具ユニットを有する、請求項１１に記載の電気管理システム。
【請求項１５】
前記複数の制御ユニットは、電気コンセントユニットを更に有する、請求項１４に記載の電気管理システム。